(57)【要約】【課題】  肘掛けの高さを調節可能として、座の正面のみならず、側方からでも着座したり、着座位置から座の上で横スライドして座の側面から下りたりすることができる肘掛け付き着座具を提供することにある。【解決手段】  肘掛け本体と、肘掛けの一部となる可動部と、可動部を昇降可能な駆動部を備え、肘掛け本体はその前面が背凭れ側から座の前面側に向けて下り斜面であり、駆動部はその下部が肘掛け本体内にその斜面に沿って回転可能に設けられ、可動部が前記座の座面よりも高い位置から当該座面と同じ高さ又は当該座面よりも低い位置まで降下可能とした。可動部が前記駆動部の上端部に回動可能に取り付けられて肘掛けの斜面の上に配置され、可動部は駆動部が上方回転すると前記斜面の上方に移動して斜面の上方に配置され、駆動部が下方回転すると前記斜面の下方に移動して斜面の下方に配置されるようにしてもよい。【選択図】図１
2015066368.tif 000002
【特許請求の範囲】
【請求項１】
使用者が着座可能な座と、肘掛けと、背凭れを備えた着座具において、
肘掛け本体と、肘掛けの一部となる可動部と、可動部を昇降可能な駆動部を備え、
前記肘掛け本体は、その前面が背凭れ側から座の前面側に向けて下り斜面であり、
前記駆動部は、その下部が肘掛け本体内にその斜面に沿って回転可能に設けられ、
前記可動部は、前記座の座面よりも高い位置から当該座面と同じ高さ又は当該座面よりも低い位置まで降下可能である、
ことを特徴とする肘掛け付き着座具。
【請求項２】
請求項１記載の肘掛け付き着座具において、
可動部は、駆動部の上端部に回動可能に取り付けられて肘掛けの斜面の上に配置され、可動部は駆動部が上方回転すると前記斜面の上方に移動して斜面の上方に配置され、駆動部が下方回転すると前記斜面の下方に移動して斜面の下方に配置される、
ことを特徴とする肘掛け付き着座具。
【請求項３】
請求項１又は請求項２記載の肘掛け付き着座具において、
駆動部がリンク機構であり、
リンクの下部は肘掛け本体に回転可能に取り付けられ、
リンクの上部は前記斜面よりも上方に突出し、
可動部は前記リンクの上部に回転可能に取り付けられ、
前記リンクが上方に回転すると前記可動部が前記座面よりも高い位置に上昇し、下方に回転すると前記可動部が前記座面と同じ高さ又は当該座面よりも低い位置まで降下する、
ことを特徴とする肘掛け付き着座具。
【請求項４】
請求項３記載の肘掛け付き着座具において、
リンク機構は、二以上のリンク片の下端部が肘掛け本体に取り付ける下ブラケットで回転可能に連結され、上下端部が肘掛け本体に取り付ける上ブラケットで回転可能に連結され、前記二以上のリンク片が並行に回転可能である、
ことを特徴とする肘掛け付き着座具。
【発明の詳細な説明】
【技術分野】
【０００１】
本発明は、ソファや椅子等の各種着座具に関し、特に、肘掛けの一部を昇降式とした肘掛け付き着座具に関する。
【背景技術】
【０００２】
通常、着座具の肘掛けの高さは一定であるため、着座する人の座高によって高かったり低かったりする。この課題を解決するため、従来、肘掛けの高さを調整可能とした椅子が提案されている（特許文献１）。しかし、この椅子は一定のピッチ（間隔）で設けられた嵌合凹部に、操作レバーの嵌合突部を選択的に嵌め込むことによって高さを調整するものであるため、嵌合凹部の位置でしか高さ調整できないという課題があった。従来、この課題を解決するための昇降装置も提案されている（特許文献２）。
【先行技術文献】
【特許文献】
【０００３】
【特許文献１】特開平７−３２７７７５号公報
【特許文献２】特開平１１−７５９９２号公報
【発明の概要】
【発明が解決しようとする課題】
【０００４】
通常、肘掛けは着座具の側方に設けられており、肘掛けの上面が座面よりも高くなっていることから、着座具の側方から横移動して座に座ったり、座に腰を掛けたまま横移動して座から降りたりすることはできず、座の正面に廻り込む必要がある。この動作は高齢者や身体が不自由な人にとっては大きな負担となることがある。このような負担を解消するため、座を回転式とした椅子が提案されているが、着座具の中にはカウチソファや複数人掛けソファ等のように、座を回転させるのが困難なものもある。
【０００５】
本発明の目的は、肘掛けの高さを調節可能として、座の正面のみならず、側方からでも着座したり、着座位置から座の上で横スライドして座の側面から下りたりすることができる肘掛け付き着座具を提供することにある。
【課題を解決するための手段】
【０００６】
本発明の肘掛け付き着座具は、使用者が着座可能な座と、肘掛けと、背凭れを備えた着座具において、肘掛け本体と、肘掛けの一部となる可動部と、可動部を昇降可能な駆動部を備え、肘掛け本体はその前面が背凭れ側から座の前面側に向けて下り斜面であり、駆動部はその下部が肘掛け本体内にその斜面に沿って回転可能に設けられ、可動部が前記座の座面よりも高い位置から当該座面と同じ高さ又は当該座面よりも低い位置まで降下可能としたものである。
【０００７】
前記肘掛け付き着座具は、可動部が前記駆動部の上端部に回動可能に取り付けられて肘掛けの斜面の上に配置され、可動部は駆動部が上方回転すると前記斜面の上方に移動して斜面の上方に配置され、駆動部が下方回転すると前記斜面の下方に移動して斜面の下方に配置されるようにしたものである。
【０００８】
前記駆動部をリンク機構とし、リンクの下部を肘掛け本体に回転可能に取り付け、リンクの上部を前記斜面よりも上方に突出させ、その上部に前記可動部を回転可能に取り付けて、当該リンクが上方に回転すると前記可動部が前記座面よりも高い位置に上昇し、下方に回転すると前記可動部が前記座面と同じ高さ又は当該座面よりも低い位置まで降下するようにすることができる。
【０００９】
前記リンク機構は、二以上のリンク片の下端部が肘掛け本体に取り付ける下ブラケットで回転可能に連結され、上下端部が肘掛け本体に取り付ける上ブラケットで回転可能に連結されて、前記二以上のリンク片が並行に回転可能なものとすることができる。
【発明の効果】
【００１０】
本発明の肘掛け付き着座具は、肘掛けが座面の高さと同じかそれよりも低い位置まで昇降可能であるため、ソファの側面から横スライドして座に上がり下りすることができるので、高齢者や身体が不自由な人への負担を軽減できる。特に、座の高さがベッドの高さと同じ（略同じ）であれば、着座具とベッドとの間の移動が容易になる。
【図面の簡単な説明】
【００１１】
【図１】（ａ）は本発明の肘掛け付き着座具の一例を示す平面図、（ｂ）は（ａ）の正面図。
【図２】（ａ）は肘掛けが上位置まで上昇した状態の側面図、（ｂ）は肘掛けが下位置まで降下した状態の側面図。
【図３】（ａ）は駆動部（リンク機構）の詳細説明図、（ｂ）は（ａ）のＡ矢印方向から見た場合の説明図、（ｃ）は下ブラケットの側片同士及び上ブラケットの側片同士の長さを同じにした場合の説明図。
【図４】本発明の肘掛け付き着座具の動作説明図であって、（ａ）は肘掛けが上位置にまで上昇した状態の説明図、（ｂ）は肘掛けが中位に位置した状態の説明図、（ｃ）は肘掛けが下位置まで降下した状態の説明図。
【発明を実施するための形態】
【００１２】
本発明の肘掛け付き着座具１の一例を、図面を参照して説明する。本発明の肘掛け付き着座具１はソファのほか、座椅子、テーブル用の椅子、デスクチェアー等の各種形態のチェアーを含むものであるが、ここでは、肘掛け付き着座具がソファである場合を一例として説明する。
【００１３】
［肘掛け付き着座具の構成］
一例として図１（ａ）（ｂ）に示す肘掛け付き着座具（ソファ）１は、横長座２と縦長座３とが平面視Ｌ字状に組み合わされたカウチソファである。横長座２は使用者が着座可能な座４と背凭れ５と肘掛け本体６と肘掛け可動部７を備え、縦長座３は座８とＬ字状の背凭れ９を備える。
【００１４】
横長座２は、その幅方向一端側が脚１０(図１（ｂ）)で支持され、他端側が肘掛け本体６の下端側で支持されている。座４及び背凭れ５には、ウレタンフォームやスプリング等のクッション材を表材で被覆した既存のものを用いることができる。
【００１５】
肘掛け本体６は、その前面側に背凭れ５側から座４の前面側に下り傾斜の斜面１１を備えている。前記肘掛け可動部７はリンク機構１２を介して肘掛け本体６の斜面１１の上に配置されている。肘掛け可動部７は略三角形である。肘掛け本体６と、肘掛け可動部７は同じ材質製とすることも異なる材質製とすることもできる。
【００１６】
一例として図３（ａ）〜（ｃ）に示すリンク機構１２は、四本のリンク片１３ａ、１３ｂ、１４ａ、１４ｂを備えており、それらリンク片１３ａ、１３ｂ、１４ａ、１４ｂのうち、二枚のリンク片（外側リンク片：図３（ｂ）（ｃ）の左側）１３ａ、１４ａは図３（ａ）のように上下に並行して配置され、他の二枚のリンク片（内側リンク片：図３（ｂ）（ｃ）の右側）１３ｂ、１４ｂが図３（ｂ）（ｃ）のように外側リンク片１３ａ、１４ａの奥に所定間隔をあけて配置され、且つ上下に並行して対向配置されている。この外側リンク片１３ａ、１４ａはその軸方向下端部が下ブラケット１５に止め具１９（ボルト１９ａ、ナット１９ｂ）により回転可能に連結され、上端側が上ブラケット１６に止め具２０（ボルト２０ａ、ナット２０ｂ）により回転可能に連結されている。ボルト１９ａ、２０ａの内側には、ワッシャ１８を介在させてある。この実施形態ではボルト１９ａ、２０ａは平頭の六角穴付きボルト（Ｍ８×20Ｌ）、ナット１９ｂ、２０ｂはＭ８のロックナットである。止め具１９、２０にはボルト、ナット以外のものを使用できる。
【００１７】
図３（ａ）（ｂ）に示す下ブラケット１５は一側片１５ａが長く、他側片１５ｂが短い側面視略コ字形の上方開口形であり、上ブラケット１６は下ブラケット１５と同様、一側片１６ｂが長く、他側片１６ａが短い側面視略コ字形の下方開口形である。
【００１８】
図３（ｃ）に示す下ブラケット１５は両側片１５ａ、１５ｂが同じ長さである側面視略コ字形の上方開口形であり、上ブラケット１６は両側片１６ａ、１６ｂが同じ長さであり、その長さが下ブラケット１５よりも短い寸法の側面視略コ字形の下方開口形である。
【００１９】
図４（ａ）〜（ｃ）に示すように、下ブラケット１５は肘掛け本体６の本体フレーム（木製、樹脂製、金属製等）に突設された取付け台２１に固定されている。下ブラケット１５の固定には既存の固定手段（例えば、ボルトとナットなど）を用いることができる。下ブラケット１５と取付け台２１の間には、スペーサ２２を介在させてある。下ブラケット１５と取付け台２１間に生じる空隙には、緩衝材２３を介在させ、肘掛け可動部７の昇降時の衝撃を緩和できるようにしてある。肘掛け本体６の斜面１１の下端側には、ゴム製のストッパー２４が設けられ、肘掛け可動部７がそれより降下しないようにしてある。
【００２０】
図４（ａ）〜（ｃ）に示すように、上ブラケット１６は肘掛け可動部７の可動フレーム７ａ（木製、樹脂製、金属製等）に突設された取付け台２５に固定されている。上ブラケット１６の固定には、既存の固定手段（例えば、ボルトとナットなど）を用いることができる。
【００２１】
（使用例）
本発明の肘掛け付き着座具１の使用例について、図面を参照して説明する。この使用例は、肘掛け可動部７を上位置（図４（ａ））から下位置（図４（ｃ））まで降下させて、使用者がソファ１の側方から座４に腰を下ろせるようにする場合の例である。
（１）図４（ａ）の状態にある肘掛け可動部７を手で持って、同図の矢印方向（リンク機構１２の回転方向）に移動させる。
（２）肘掛け可動部７を更に移動させ、肘掛け可動部７の上面７ｘが座４の上面４ｘと同じ或いはそれよりも低いところまで（肘掛け可動部７の上面７ｘが図４（ｃ）に示す位置にくるまで）肘掛け可動部７を降下させる。
（３）使用者は、肘掛け可動部７が座４の上面４ｘと同じ高さまで降下したところで、ソファ１の側方から座４に腰を下ろす。座４に腰を下ろした後は必要に応じて座４の上で横移動して所望位置に着座する。
（４）ソファ１に着座している人が、他の場所、例えば、ソファ１の横にあるベッドに移動したいときは、前記のように肘掛け可動部７を下げてから、着座者が座４の上を横移動してソファ１の側方からベッドに移ることができる。
（５）肘掛け可動部７は手で持ってリンク機構１２を肘掛け可動部７の降下時と逆方向に回転させることによって、上昇させることができる。
【産業上の利用可能性】
【００２２】
前記実施形態では、肘掛け付き着座具１がカウチソファの場合を一例として説明しているが、本発明の肘掛け付き着座具１は、一人掛けソファ、二人掛けソファ、三人掛けソファといった各種ソファや、座椅子、テーブル用の椅子、デスク用の椅子等の各種形態の着座具に適用することができる。
【符号の説明】
【００２３】
１      肘掛け付き着座具（ソファ）
２      横長座
３      縦長座
４      （横長座の）座
４ｘ    （横長座の座の）上面
５      （横長座の）背凭れ
６      肘掛け本体
７      肘掛け可動部
７ａ    可動フレーム
７ｘ    （肘掛け可動部の）上面
８      （縦長座の）座
９      （縦長座の）背凭れ
１０    脚
１１    斜面
１２    リンク機構
１３ａ  リンク片（外側リンク片）
１３ｂ  リンク片（内側リンク片）
１４ａ  リンク片（外側リンク片）
１４ｂ  リンク片（内側リンク片）
１５    下ブラケット
１５ａ  側片
１５ｂ  側片
１６    上ブラケット
１６ａ  側片
１６ｂ  側片
１８    ワッシャ
１９    止め具
１９ａ  ボルト
１９ｂ  ナット
２０    止め具
２０ａ  ボルト
２０ｂ  ナット
２１    （下ブラケットの）取付け台
２２    スペーサ
２３    緩衝材
２４    ストッパー
２５    （上ブラケットの）取付け台
【図１】
2015066368.tif 000003
【図２】
2015066368.tif 000004
【図３】
2015066368.tif 000005
【図４】
2015066368.tif 000006